(57)【特許請求の範囲】
【請求項１】
表裏の位置関係に配置されている第１表示部及び第２表示部と、
前記第１表示部の画面に対する操作入力を検出する第１検出部と、
前記第２表示部の画面に対する操作入力を検出する第２検出部と、
前記第１検出部により検出された操作入力を前記第１表示部に表示されている操作対象に関連付けられている第１処理に適用する第１機能、前記第２検出部により検出された操作入力を前記第２表示部に表示されている操作対象に関連付けられている第２処理に適用する第２機能、及び前記第１検出部により検出された操作入力と前記第２検出部により検出された操作入力との一方または両方に基づく操作入力を前記第１処理及び前記第２処理とは異なる予め設定された処理に適用する第３機能を制御する機能制御部と、
前記第１表示部及び前記第２表示部が表裏の位置関係に配置されている第１筐体と、
前記第１筐体に対して相対的に回動可能に接続された第２筐体と、
接続された表示装置へ映像信号を出力する映像出力部と、
を備え、
前記第１筐体と前記第２筐体とが重なりあった閉状態である場合に、前記第１筐体において、前記第２筐体に対面する側に前記第１表示部が配置され、前記第２筐体に対面する側の裏側に前記第２表示部が配置されており、
前記機能制御部は、
前記第１筐体と前記第２筐体とが前記閉状態であることが検出され、且つ前記映像出力部に前記表示装置が接続されたことを条件として前記第３機能を有効にして、前記予め設定された処理に適用し、
前記予め設定された処理は、前記第１表示部及び前記第２表示部ともに非表示にさせるとともに、前記第２検出部により検出された操作入力を前記映像出力部に接続された前記表示装置に表示されている操作対象に関連付けられている処理に適用する処理である、
電子機器。
【請求項２】
前記機能制御部は、
前記第１検出部により検出された操作入力と第２検出部により検出された操作入力との両方に基づく特定の操作入力に基づいて、前記第１機能及び前記第２機能の一方又は両方が有効な状態から前記第３機能が有効な状態へ遷移させる、
請求項１に記載の電子機器。
【請求項３】
前記機能制御部は、
前記第３機能による処理が終了すると、前記第３機能が有効な状態から前記第１機能及び前記第２機能の一方又は両方が有効な状態へ遷移させる、
請求項２に記載の電子機器。
【請求項４】
前記特定の操作入力は、前記第１検出部により検出された操作入力と第２検出部により検出された操作入力とのいずれか一方に特定の方向への動きを伴う操作入力が含まれる、
請求項２または請求項３に記載の電子機器。
【請求項５】
前記特定の操作入力は、前記画面上で第１方向へスライドさせるタッチ操作を含み、
前記予め設定された処理は、前記第１表示部及び前記第２表示部の一方又は両方の表示輝度を変更する処理である、
請求項４に記載の電子機器。
【請求項６】
音を出力する音出力部、をさらに備え、
前記特定の操作入力は、前記画面上で第２方向へスライドさせるタッチ操作を含み、
前記予め設定された処理は、前記音出力部から出力される音量を変更する処理である、
請求項４に記載の電子機器。
【請求項７】
表裏の位置関係に配置されている第１表示部及び第２表示部と、前記第１表示部及び前記第２表示部が表裏の位置関係に配置されている第１筐体と、前記第１筐体に対して相対的に回動可能に接続された第２筐体と、接続された表示装置へ映像信号を出力する映像出力部とを備える電子機器における制御方法であって、
前記第１筐体と前記第２筐体とが重なりあった閉状態である場合に、前記第１筐体において、前記第２筐体に対面する側に前記第１表示部が配置され、前記第２筐体に対面する側の裏側に前記第２表示部が配置されており、
第１検出部が、前記第１表示部の画面に対する操作入力を検出するステップと、
第２検出部が、前記第２表示部の画面に対する操作入力を検出するステップと、
機能制御部が、前記第１検出部により検出された操作入力を前記第１表示部に表示されている操作対象に関連付けられている第１処理に適用する第１機能、前記第２検出部により検出された操作入力を前記第２表示部に表示されている操作対象に関連付けられている第２処理に適用する第２機能、及び前記第１検出部により検出された操作入力と前記第２検出部により検出された操作入力との一方または両方に基づく操作入力を前記第１処理及び前記第２処理とは異なる予め設定された処理に適用する第３機能を制御するステップと、
を有し、
前記機能制御部が制御するステップにおいて、
前記第１筐体と前記第２筐体とが前記閉状態であることが検出され、且つ前記映像出力部に前記表示装置が接続されたことを条件として前記第３機能を有効にして、前記予め設定された処理に適用し、
前記予め設定された処理は、前記第１表示部及び前記第２表示部ともに非表示にさせるとともに、前記第２検出部により検出された操作入力を前記映像出力部に接続された前記表示装置に表示されている操作対象に関連付けられている処理に適用する処理である、
制御方法。
【発明の詳細な説明】
【技術分野】
【０００１】
本発明は、電子機器、及び制御方法に関する。
【背景技術】
【０００２】
２つのタッチスクリーンを備えたデュアル・スクリーン式の電子機器について開示されている（例えば、特許文献１）。
【先行技術文献】
【特許文献】
【０００３】
【特許文献１】特開２０１７−５４４７１号公報
【発明の概要】
【発明が解決しようとする課題】
【０００４】
２つのタッチスクリーンを備えた電子機器では、通常、一方のタッチスクリーンに対する操作によって当該一方タッチスクリーンに表示されているアイコンやアプリケーションへの操作入力を行うことができ、他方のタッチスクリーンに対する操作によって当該他方のタッチスクリーンに表示されているアイコンやアプリケーションへの操作入力を行うことができる。また、一方のタッチスクリーンが非アクティブ（オフ）になる場合、当該一方のタッチスクリーンに含まれるタッチパネルとディスプレイは連動して非アクティブ（オフ）となり、他方のタッチスクリーンのみアクティブとなる。このように、複数のタッチスクリーンを備えているものの、各々のタッチスクリーン自身のみでの機能に限定されていた。
【０００５】
本発明は上記した事情に鑑みてなされたもので、複数のタッチスクリーンをより有効に活用する電子機器、及び制御方法を提供することを目的の一つとする。
【課題を解決するための手段】
【０００６】
本発明は上記の課題を解決するためになされたものであり、本発明の第１態様に係る電子機器は、表裏の位置関係に配置されている第１表示部及び第２表示部と、前記第１表示部の画面に対する操作入力を検出する第１検出部と、前記第２表示部の画面に対する操作入力を検出する第２検出部と、前記第１検出部により検出された操作入力を前記第１表示部に表示されている操作対象に関連付けられている第１処理に適用する第１機能、前記第２検出部により検出された操作入力を前記第２表示部に表示されている操作対象に関連付けられている第２処理に適用する第２機能、及び前記第１検出部により検出された操作入力と前記第２検出部により検出された操作入力との一方または両方に基づく操作入力を前記第１処理及び前記第２処理とは異なる予め設定された処理に適用する第３機能を制御する機能制御部と、を備える。
【０００７】
上記電子機器において、前記機能制御部は、前記第１検出部により検出された操作入力と第２検出部により検出された操作入力との両方に基づく特定の操作入力に基づいて、前記第１機能及び前記第２機能の一方又は両方が有効な状態から前記第３機能が有効な状態へ遷移させてもよい。
【０００８】
上記電子機器において、前記機能制御部は、前記第３機能による処理が終了すると、前記第３機能が有効な状態から前記第１機能及び前記第２機能の一方又は両方が有効な状態へ遷移させてもよい。
【０００９】
上記電子機器において、前記特定の操作入力は、前記第１検出部により検出された操作入力と第２検出部により検出された操作入力とのいずれか一方に特定の方向への動きを伴う操作入力が含まれてもよい。
【００１０】
上記電子機器において、前記特定の操作入力は、前記画面上で第１方向へスライドさせるタッチ操作を含み、前記予め設定された処理は、前記第１表示部及び前記第２表示部の一方又は両方の表示輝度を変更する処理であってもよい。
【００１１】
上記電子機器において、音を出力する音出力部、をさらに備え、前記特定の操作入力は、前記画面上で第２方向へスライドさせるタッチ操作を含み、前記予め設定された処理は、前記音出力部から出力される音量を変更する処理であってもよい。
【００１２】
上記電子機器において、前記第１表示部及び前記第２表示部が表裏の位置関係に配置されている第１筐体と、前記第１筐体に対して相対的に回動可能に接続された第２筐体と、接続された表示装置へ映像信号を出力する映像出力部と、をさらに備え、前記第１筐体と前記第２筐体とが重なりあった閉状態である場合に、前記第１筐体において、前記第２筐体に対面する側に前記第１表示部が配置され、前記第２筐体に対面する側の裏側に前記第２表示部が配置されており、前記機能制御部は、前記第１筐体と前記第２筐体とが前記閉状態であることが検出され、且つ前記映像出力部に前記表示装置が接続されたことを条件として前記第３機能を有効にして、前記予め設定された処理に適用し、前記予め設定された処理は、前記第１表示部及び前記第２表示部ともに非表示にさせるとともに、前記第２検出部により検出された操作入力を前記映像出力部に接続された前記表示装置に表示されている操作対象に関連付けられている処理に適用する処理であってもよい。
【００１３】
また、本発明の第２態様に係る、表裏の位置関係に配置されている第１表示部及び第２表示部を備える電子機器における制御方法は、第１検出部が、前記第１表示部の画面に対する操作入力を検出するステップと、第２検出部が、前記第２表示部の画面に対する操作入力を検出するステップと、機能制御部が、前記第１検出部により検出された操作入力を前記第１表示部に表示されている操作対象に関連付けられている第１処理に適用する第１機能、前記第２検出部により検出された操作入力を前記第２表示部に表示されている操作対象に関連付けられている第２処理に適用する第２機能、及び前記第１検出部により検出された操作入力と前記第２検出部により検出された操作入力との一方または両方に基づく操作入力を前記第１処理及び前記第２処理とは異なる予め設定された処理に適用する第３機能を制御するステップと、を有する。
【発明の効果】
【００１４】
本発明の上記態様によれば、複数のタッチスクリーンをより有効に活用することができる。
【図面の簡単な説明】
【００１５】
【図１】実施形態に係る電子機器の外観を示す斜視図。
【図２】実施形態に係る電子機器１０のハードウェア構成の一例を示すブロック図。
【図３】実施形態に係るＭＣＵ１３０のタッチ機能に関する構成例を示す図。
【図４】実施形態に係るＭｏｄｅ１によるタッチ機能を示す図。
【図５】実施形態に係るＭｏｄｅ２によるタッチ機能を示す図。
【図６】実施形態に係るＭｏｄｅ３によるタッチ機能を示す図。
【図７】実施形態に係るＭｏｄｅ４によるタッチ機能を示す図。
【図８】実施形態に係るＭｏｄｅ５によるタッチ機能を示す図。
【図９】Ｍｏｄｅ５における仮想デバイス処理の第１例を示す図。
【図１０】音量調整イベントのトリガ条件の具体例を示す図。
【図１１】Ｍｏｄｅ５における仮想デバイス処理の第２例を示す図。
【図１２】輝度調整イベントのトリガ条件の具体例を示す図。
【図１３】実施形態に係るＭｏｄｅ６によるタッチ機能を示す図。
【図１４】Ｍｏｄｅ６における仮想デバイス処理の一例を示す図。
【図１５】トラックパッドイベントのトリガ条件の具体例を示す図。
【図１６】実施形態に係るＭＣＵにおけるタッチ機能に関する構成の一例を示す図。
【図１７】Ｍｏｄｅ１における状態遷移を示す図。
【図１８】Ｍｏｄｅ２及びＭｏｄｅ４における状態遷移を示す図。
【図１９】Ｍｏｄｅ３における状態遷移を示す図。
【図２０】Ｍｏｄｅ５における状態遷移を示す図。
【図２１】Ｍｏｄｅ６における状態遷移を示す図。
【発明を実施するための形態】
【００１６】
以下、図面を参照しながら本発明の実施形態について詳しく説明する。
まず、本実施形態に係る電子機器の概要について説明する。
図１は、本実施形態に係る電子機器の外観を示す斜視図である。図示する電子機器１０は、クラムシェル型（ノート型）のＰＣ（パーソナルコンピュータ）である。電子機器１０は、第１筐体１１、第２筐体１２、及びヒンジ機構１３を備えている。第１筐体１１及び第２筐体１２は、略四角形の板状（例えば、平板状）の筐体である。第１筐体１１の側面の一つと第２筐体１２の側面の一つとがヒンジ機構１３を介して結合（連結）されており、ヒンジ機構１３がなす回転軸の周りに第１筐体１１と第２筐体１２とが相対的に回動可能である。第１筐体１１と第２筐体１２との回転軸の周りの開き角θが略０°の状態が、第１筐体１１と第２筐体１２とが重なり合って閉じた状態（「閉状態」と称する）である。閉状態において第１筐体１１と第２筐体１２との互いに対面する側の面を、それぞれの「内面」と呼び、内面に対して反対側の面を「外面」と称する。開き角θとは、第１筐体１１の内面と第２筐体１２の内面とがなす角とも言うことができる。閉状態に対して第１筐体１１と第２筐体１２とが開いた状態のことを「開状態」と称する。開状態とは、開き角θが予め設定された閾値（例えば、１０°）より大きくなるまで、第１筐体１１と第２筐体１２とが相対的に回動された状態である。
【００１７】
図１（Ａ）は第１筐体１１の内面側が見える方向からの斜視図であり、図１（Ｂ）は第１筐体１１の外面側が見える方向からの斜視図である。第１筐体１１の内面及び外面のそれぞれには、タッチスクリーンが設けられている。タッチスクリーンは、表示部（ディスプレイ）と表示部の画面に対するタッチ操作（操作入力）を検出するタッチパネルとを含んで構成されている。ここでは、第１筐体１１の内面に設けられている符号１１０が示すタッチスクリーンを第１タッチスクリーン１１０、第１筐体１１の外面に設けられている符号１２０が示すタッチスクリーンを第２タッチスクリーン１２０と称する。つまり、第１筐体１１には、第１タッチスクリーン１１０と第２タッチスクリーン１２０とが表裏の位置関係に配置されている。
【００１８】
図２は、本実施形態に係る電子機器１０のハードウェア構成の一例を示すブロック図である。電子機器１０は、通信部１０１と、ＲＡＭ（Ｒａｎｄｏｍ  Ａｃｃｅｓｓ  Ｍｅｍｏｒｙ）１０２と、Ｆｌａｓｈメモリ１０３と、ＣＰＵ（Ｃｅｎｔｒａｌ  Ｐｒｏｃｅｓｓｉｎｇ  Ｕｎｉｔ）１０４と、スピーカ１０５と、加速度センサ１０６と、映像出力部１０７と、第１タッチスクリーン１１０と、第２タッチスクリーン１２０と、ＭＣＵ（Ｍｉｃｒｏ  Ｃｏｎｔｒｏｌ  Ｕｎｉｔ）１３０とを備えている。これらの各部は、バスなどを介して通信可能に接続されている。
【００１９】
通信部１０１は、例えば、複数のイーサネット（登録商標）ポートや複数のＵＳＢ（Ｕｎｉｖｅｒｓａｌ  Ｓｅｒｉａｌ  Ｂｕｓ）等のデジタル入出力ポート、Ｂｌｕｅｔｏｏｔｈ（登録商標）やＷｉ−Ｆｉ（登録商標）等の無線通信を行う通信デバイス等を含んで構成される。
【００２０】
ＲＡＭ１０２には、ＣＰＵ１０４が演算や制御、処理などを行うプログラムやデータが展開され、適宜、各種データの保存または消去が行われる。また、ＲＡＭ１０２は、第１表示部１１１及び第２表示部１２１の表示用のビデオメモリ（Ｖ−ＲＡＭ）としても機能する。
【００２１】
Ｆｌａｓｈメモリ１０３は、Ｆｌａｓｈ−ＲＯＭ（Ｒｅｓａｄ  Ｏｎｌｙ  Ｍｅｍｏｒｙ）などの不揮発性メモリである。例えば、Ｆｌａｓｈメモリ１０３には、ＢＩＯＳ（Ｂａｓｉｃ  Ｉｎｐｕｔ  Ｏｕｔｐｕｔ  Ｓｙｓｔｅｍ）のプログラムや設定データ、ＯＳ（Ｏｐｅｒａｔｉｎｇ  Ｓｙｓｔｅｍ）やＯＳ上で動作するアプリケーションのプログラム等が保存されている。
【００２２】
ＣＰＵ１０４は、ＢＩＯＳ、ＯＳ、またはＯＳ上で動作する各種のアプリケーションなどのプログラムを実行することにより、各種の演算及び処理などを行う。例えば、ＣＰＵ１０４は、上記プログラムの実行に応じて、ＲＡＭ１０２、Ｆｌａｓｈメモリ１０３などに対してデータの読み書きや消去などのメモリ制御や、第１表示部１１１及び第２表示部１２１に対する表示制御や、映像出力部１０７に対する出力制御、スピーカ１０５から出力する音の制御などを行う。なお、ＣＰＵ１０４は、ＧＰＵ（Ｇｒａｐｈｉｃ  Ｐｒｏｃｅｓｓｉｎｇ  Ｕｎｉｔ）など特定の演算及び処理を行なう構成を内部または外部に含んで構成されてもよい。
【００２３】
スピーカ１０５は、電子音や音声などを出力する。加速度センサ１０６は、電子機器１０の向き及び向きの変化を検出する。例えば、加速度センサ１０６は、第１筐体１１及び第２筐体１２のそれぞれに設けられてもよい。この場合、電子機器１０は、第１筐体１１に設けられた加速度センサ１０６の検出結果と、第２筐体１２に設けられた加速度センサ１０６の検出結果とに基づいて、第１筐体１１と第２筐体１２とが開状態であるか或いは閉状態であるかを検出したり、開き角θを検出したりしてもよい。
【００２４】
映像出力部１０７は、外付けの表示装置（モニタ、プロジェクタ等）と接続して映像信号を出力するための外部モニタ出力端子を含んで構成されている。例えば、外部モニタ出力端子は、ＨＤＭＩ（登録商標）端子、ＤＶＩ端子、Ｄ−ＳＵＢ端子、Ｄｉｓｐｌａｙ  Ｐｏｒｔ端子などである。
【００２５】
第１タッチスクリーン１１０は、第１表示部１１１と、第１タッチパネル１１２（第１検出部の一例）とを備えている。また、第２タッチスクリーン１２０は、第２表示部１２１と、第２タッチパネル１２２（第２検出部の一例）とを備えている。第１表示部１１１及び第２表示部１２１は、液晶ディスプレイや、有機ＥＬ（Ｅｌｅｃｔｒｏ  Ｌｕｍｉｎｅｓｃｅｎｃｅ）ディスプレイ等を含んで構成されている。第１表示部１１１及び第２表示部１２１は、ＣＰＵ１０４が実行するＢＩＯＳ、ＯＳ、またはＯＳ上で動作する各種のアプリケーションの処理に応じた画像を表示する。
【００２６】
第１タッチパネル１１２は、第１表示部１１１の画面に対応する領域へのタッチ操作を検出するタッチセンサを有し、当該画面に対するタッチ操作に応じて当該領域におけるタッチ位置を検出する。第２タッチパネル１２２は、第２表示部１２１の表示画面に対応する領域へのタッチ操作を検出するタッチセンサを有し、当該画面に対するタッチ操作に応じて当該領域におけるタッチ位置を検出する。タッチセンサとしては、静電容量方式や抵抗膜方式などの任意の方式のセンサを適用することができる。第１タッチパネル１１２及び第２タッチパネル１２２は、それぞれタッチ操作に応じた検出信号を出力する。
【００２７】
ＭＣＵ１３０は、演算処理を行なう組み込み用のマイクロコントロールユニット（Ｍｉｃｒｏ  Ｃｏｎｔｒｏｌ  Ｕｎｉｔ）である。図３は、本実施形態に係るＭＣＵ１３０のタッチ機能に関する構成例を示す図である。ＭＣＵ１３０は、第１タッチパネル１１２と第２タッチパネル１２２とに接続され、第１タッチパネル１１２及び第２タッチパネル１２２により出力される検出信号を取得する。そして、ＭＣＵ１３０は、それぞれのタッチパネルから取得した検出信号に基づいて、第１タッチパネル１１２及び第２タッチパネル１２２に対するタッチ操作に基づく操作情報をそれぞれ生成し、システム処理部１４０へ出力する。システム処理部１４０は、ＣＰＵ１０４がＯＳやＯＳ上で動作するアプリケーションのプログラムを実行することにより実現される機能構成である。システム処理部１４０は、ＯＳやＯＳ上で動作するアプリケーションのプログラムの処理に応じた画像を第１表示部１１１と第２表示部１２１に表示させる。また、システム処理部１４０は、ＭＣＵ１３０から取得した操作情報に応じた処理を実行する。
【００２８】
例えば、ＭＣＵ１３０は、第１タッチパネル１１２により検出されたタッチ操作を第１表示部１１１に表示されている操作対象に関連付けられている処理に適用する第１機能と、第２タッチパネル１２２により検出されたタッチ操作を第２表示部１２１に表示されている操作対象に関連付けられている処理に適用する第２機能とを有する。操作対象とは、それぞれの表示部の画面において、タッチ操作により特定される箇所に表示されているものである。例えば、それぞれの表示部の画面でデスクトップ上に表示されているアイコンやタスクバー、デスクトップ上のアイコン以外の領域、デスクトップ上に表示されているウインドウなどが操作対象になり得る。これらの操作対象は、ＯＳやアプリケーションのプログラムの実行に応じて表示される。
【００２９】
例えば、操作対象がアイコンである場合、そのアイコンがフォルダアイコンであれば、操作対象に関連付けられている処理は、そのフォルダを開く（フォルダの中の情報をウインドウに表示する）処理である。アイコンがアプリケーションのプログラムを実行させるショートカットである場合、操作対象に関連付けられている処理は、そのアプリケーションのプログラムを実行する処理である。また、操作対象がデスクトップ上のアイコン以外の領域である場合、操作対象に関連付けられている処理は、デスクトップ上のアイコンの表示設定やディスプレイ設定などを行うためのメニューを表示する処理である。また、操作対象が実行されたアプリケーションのウインドウ（ウインドウ内のいずれかの箇所）である場合、操作対象に関連付けられている処理は、アプリケーションで規定されている処理である。
【００３０】
第１機能では、ＭＣＵ１３０は、第１タッチパネル１１２により検出されたタッチ操作に基づく操作情報を、第１表示部１１１に表示されている処理に対するタッチ操作の操作情報として、システム処理部１４０へ出力する。また、第２機能では、ＭＣＵ１３０は、第２タッチパネル１２２により検出されたタッチ操作に基づく操作情報を、第２表示部１２１に表示されている処理に対するタッチ操作の操作情報として、システム処理部１４０へ出力する。
【００３１】
また、ＭＣＵ１３０は、第１タッチパネル１１２により検出されたタッチ操作と第２タッチパネル１２２により検出されたタッチ操作との一方または両方に基づくタッチ操作を、第１表示部１１１に表示されている操作対象に関連付けられている処理及び第２表示部１２１に表示されている操作対象に関連付けられている処理とは異なる予め設定された処理に適用する第３機能を有する。この予め設定された処理は、例えば、タッチ操作により特定される操作対象に関連付けられている処理とは異なる仮想デバイスとしての処理である。この仮想デバイスの処理について詳しくは後述する。ＭＣＵ１３０は、システムモード（システムの動作状態）、第１タッチパネル１１２及び第２タッチパネル１２２により検出されたタッチ操作などに応じて上述の第１機能、第２機能、及び第３機能のいずれか一つ又は複数を用いたタッチ機能を制御する。以下、図４〜１５を参照して、Ｍｏｄｅ１〜６の６種類のシステムモードについて説明する。
【００３２】
（Ｍｏｄｅ１）
図４は、本実施形態に係るＭｏｄｅ１によるタッチ機能を示す図である。Ｍｏｄｅ１は、第１表示部１１１及び第２表示部１２１の両方がアクティブ（表示オン）となるモードである。Ｍｏｄｅ１では、ＭＣＵ１３０は、第１機能と第２機能の両方を有効にする。例えば、ＭＣＵ１３０は、第１タッチパネル１１２によりタッチ操作が検出されると、第１タッチパネル１１２に対するタッチ操作のイベントとして検出し、第１タッチパネル１１２により検出されたタッチ操作を第１表示部１１１に表示されている操作対象に関連付けられている処理に適用する。また、ＭＣＵ１３０は、第２タッチパネル１２２によりタッチ操作が検出されると、第２タッチパネル１２２に対するタッチ操作のイベントとして検出し、第２タッチパネル１２２により検出されたタッチ操作を第２表示部１２１に表示されている操作対象に関連付けられている処理に適用する。
【００３３】
なお、本図は、ＭＣＵ１３０のタッチ機能を模式化して表したものである。各部を繋ぐ線は、信号や情報の流れを示したものではなく、各タッチパネルと、タッチ操作が適用される対象との対応関係を示している。図５〜８及び図１３も同様である。
【００３４】
（Ｍｏｄｅ２）
図５は、本実施形態に係るＭｏｄｅ２によるタッチ機能を示す図である。Ｍｏｄｅ２は、第１表示部１１１がアクティブ（表示オン）で、第２表示部１２１が非アクティブ（表示オフ）となるモードである。Ｍｏｄｅ２では、ＭＣＵ１３０は、第１機能を有効にする。例えば、ＭＣＵ１３０は、第１タッチパネル１１２によりタッチ操作が検出されると、第１タッチパネル１１２に対するタッチ操作のイベントとして検出し、第１タッチパネル１１２により検出されたタッチ操作を第１表示部１１１に表示されている操作対象に関連付けられている処理に適用する。なお、ＭＣＵ１３０は、第２タッチパネル１２２によりタッチ操作が検出されても、第２タッチパネル１２２に対するタッチ操作のイベントとして検出せず、当該タッチ操作を第２表示部１２１に表示されている操作対象に関連付けられている処理に適用しない。
【００３５】
（Ｍｏｄｅ３）
図６は、本実施形態に係るＭｏｄｅ３によるタッチ機能を示す図である。Ｍｏｄｅ３は、Ｍｏｄｅ２とは逆に、第１表示部１１１が非アクティブ（表示オフ）で、第２表示部１２１がアクティブ（表示オン）となるモードである。Ｍｏｄｅ３では、ＭＣＵ１３０は、第２機能を有効にする。例えば、ＭＣＵ１３０は、第２タッチパネル１２２によりタッチ操作が検出されると、第２タッチパネル１２２に対するタッチ操作のイベントとして検出し、第２タッチパネル１２２により検出されたタッチ操作を第２表示部１２１に表示されている操作対象に関連付けられている処理に適用する。なお、ＭＣＵ１３０は、第１タッチパネル１１２によりタッチ操作が検出されても、第１タッチパネル１１２に対するタッチ操作のイベントとして検出せず、当該タッチ操作を第１表示部１１１に表示されている操作対象に関連付けられている処理に適用しない。
【００３６】
（Ｍｏｄｅ４）
図７は、本実施形態に係るＭｏｄｅ４によるタッチ機能を示す図である。Ｍｏｄｅ４は、第１表示部１１１及び第２表示部１２１の両方がアクティブ（表示オン）であるが、第１表示部１１１のみがタッチスクリーンとして機能し、第２表示部１２１の方はタッチ操作を検出しない表示のみの画面となるモードである。Ｍｏｄｅ４では、ＭＣＵ１３０は、第１機能を有効にする。例えば、ＭＣＵ１３０は、第１タッチパネル１１２によりタッチ操作が検出されると、第１タッチパネル１１２に対するタッチ操作のイベントとして検出し、第１タッチパネル１１２により検出されたタッチ操作を第１表示部１１１に表示されている操作対象に関連付けられている処理に適用する。なお、ＭＣＵ１３０は、第２タッチパネル１２２によりタッチ操作が検出されても、第２タッチパネル１２２に対するタッチ操作のイベントとして検出せず、当該タッチ操作を第２表示部１２１に表示されている操作対象に関連付けられている処理に適用しない。
【００３７】
（Ｍｏｄｅ５）
図８は、本実施形態に係るＭｏｄｅ５によるタッチ機能を示す図である。Ｍｏｄｅ５は、第１表示部１１１及び第２表示部１２１の両方がアクティブ（表示オン）であるが、第１タッチパネル１１２及び第２タッチパネル１２２に対するタッチ操作の両方に基づいて、第１表示部１１１または第２表示部１２１に表示されている操作対象に関連付けられている処理とは異なる予め設定された仮想デバイスの処理を実行させるモードである。Ｍｏｄｅ５では、ＭＣＵ１３０は、第３機能を有効にする。例えば、ＭＣＵ１３０は、第１タッチパネル１１２及び第２タッチパネル１２２によりタッチ操作が検出されると、第１タッチパネル１１２及び第２タッチパネル１２２に対するタッチ操作のイベントとして検出する。そして、ＭＣＵ１３０は、第１タッチパネル１１２により検出されたタッチ操作と第２タッチパネル１２２により検出されたタッチ操作との両方に基づくタッチ操作を、仮想デバイスに対するタッチ操作のイベントに変換して仮想デバイスの処理に適用する。
【００３８】
次に、Ｍｏｄｅ５における仮想デバイスの具体例を説明する。以下では、２つの例を説明する。
（Ｍｏｄｅ５の第１例）
図９は、Ｍｏｄｅ５における仮想デバイスの第１例を示す図である。この図９に示す例は、仮想デバイスが音量ボタン（Ｖｉｒｔｕａｌ  Ｖｏｌｕｍｅ  Ｂｕｔｔｏｎ）である例を示している。ユーザが、第１タッチスクリーン１１０の画面の一方の端（例えば、第１タッチスクリーン１１０に向かって右端）の方を親指で、その裏側の第２タッチスクリーン１２０の画面の対応する端（例えば、第２タッチスクリーン１２０に向かって左端）の方を人差し指で挟んで握った状態で、この２本の指を画面の垂直方向（図示で縦方向）へ上又は下にスライドさせるタッチ操作（ジェスチャ）を行った場合、仮想デバイス（音量ボタン）に対するタッチ操作のイベント（以下、「音量調整イベント」という）として検出され、音量調整が可能な音量ボタンＢ１１が表示される。これにより、スピーカ１０５から出力される音量の変更（音量調整）が可能となる。このＭｏｄｅ５において音量ボタンＢ１１を表示させる（音量調整を可能にする）ためのタッチ操作（ジェスチャ）のことを、以下では「音量調整ジェスチャ」という。
【００３９】
つまり、この音量調整ジェスチャが行われることをトリガ条件として、音量調整イベントとして検出され、音量調整が可能になる。例えば、上方向へスライドさせると音量がアップし、下方向へスライドさせると音量がダウンする。なお、操作に使用する指は、親指と人差し指に限定されるものではなく、第１タッチスクリーン１１０と第２タッチスクリーン１２０とを同時に操作可能な指であればいずれの指であっても同様である。
【００４０】
図１０は、音量調整イベントのトリガ条件の具体例を示す図である。音量調整イベントのトリガ条件は、音量調整ジェスチャであると判定される条件であり、例えば以下の（１）〜（３）を満たすことである。
（１）２本の指がそれぞれ第１タッチパネル１１２と第２タッチパネル１２２にタッチしている状態でそれぞれの指が垂直方向へスライド。
（２）２本の指のタッチ位置が表裏で対応する所定の範囲内（ほぼ同一の位置）。
（３）２本の指のタッチ位置が画面内の一方の端（例えば、第１タッチパネル１１２に向かって右端）の所定の範囲内。
【００４１】
なお、上記（１）〜（３）のうち、（１）及び（２）のみをトリガ条件としてもよい。また、上記（１）〜（３）のうち、（１）のみをトリガ条件としてもよい。また、（３）の条件において、画面内の一方の端は、第１タッチパネル１１２に向かって右端に限定されるものではなく、左端（或いは、上端や下端）などとしてもよい。
【００４２】
また、（１）の条件を、２本の指がそれぞれ同時に第１タッチパネル１１２と第２タッチパネル１２２のそれぞれにタッチしていて、いずれか一方の指のみが垂直方向へスライドすることとしてもよい。例えば、ユーザが、第１タッチスクリーン１１０の画面の一方の端（例えば、右端）の方を親指で、その裏側の第２タッチスクリーン１２０の画面の端の方を人差し指で挟んで握り、親指のみを画面の垂直方向（図示で縦方向）へ上又は下にスライドさせるタッチ操作（ジェスチャ）を行った場合、音量調整イベントとして検出されてもよい。
【００４３】
また、音量調整イベントが検出された場合、仮想デバイスとしての音量ボタンＢ１１を表示させずに（可視化せずに）、音量調整が可能となる構成としてもよい。
【００４４】
（Ｍｏｄｅ５の第２例）
図１１は、Ｍｏｄｅ５における仮想デバイスの第２例を示す図である。この図１１に示す例は、仮想デバイスが画面の表示輝度を調整するための輝度調整ボタン（Ｖｉｒｔｕａｌ  Ｂｒｉｇｈｔｎｅｓｓ  Ａｄｊｕｓｔｍｅｎｔ  Ｂｕｔｔｏｎ）である例を示している。ユーザが、第１タッチスクリーン１１０の画面の一方の端（例えば、画面の上端）の方を親指で、その裏側の第２タッチスクリーン１２０の画面の対応する端（例えば、画面の上端）の方を人差し指で挟んで握った状態で、この２本の指を画面の水平方向（図示で横方向）へ左又は右にスライドさせるタッチ操作（ジェスチャ）を行った場合、仮想デバイス（輝度調整ボタン）に対するタッチ操作のイベント（以下、「輝度調整イベント」という）として検出され、輝度調整ボタンＢ１２が表示される。これにより、第１表示部１１１及び第２表示部１２１の表示輝度の変更（輝度調整）が可能となる。このＭｏｄｅ５において輝度調整ボタンＢ１２を表示させる（輝度調整を可能にする）ためのタッチ操作（ジェスチャ）のことを、以下では「輝度調整ジェスチャ」という。
【００４５】
つまり、この輝度調整ジェスチャが行われることをトリガ条件として、輝度調整イベントとして検出され、輝度調整が可能になる。例えば、右方向へスライドさせると輝度がアップし、左方向へスライドさせると輝度がダウンする。なお、操作に使用する指は、親指と人差し指に限定されるものではなく、第１タッチスクリーン１１０と第２タッチスクリーン１２０とを同時に操作可能な指であればいずれの指であっても同様である。
【００４６】
図１２は、輝度調整イベントのトリガ条件の具体例を示す図である。輝度調整イベントのトリガ条件は、輝度調整ジェスチャであると判定される条件であり、例えば以下の（１）〜（３）を満たすことである。
（１）２本の指がそれぞれ第１タッチパネル１１２と第２タッチパネル１２２にタッチしている状態でそれぞれの指が水平方向へスライド。
（２）２本の指のタッチ位置が表裏で対応する所定の範囲内（ほぼ同一の位置）。
（３）２本の指のタッチ位置が画面内の一方の端（例えば、画面の上端）の所定の範囲内。
【００４７】
なお、上記（１）〜（３）のうち、（１）及び（２）のみをトリガ条件としてもよい。また、上記（１）〜（３）のうち、（１）のみをトリガ条件としてもよい。また、（３）の条件において、画面内の一方の端は、第１タッチパネル１１２に向かって上端に限定されるものではなく、下端（或いは、右端や左端）などとしてもよい。
【００４８】
また、（１）の条件を、２本の指がそれぞれ同時に第１タッチパネル１１２と第２タッチパネル１２２のそれぞれにタッチしていて、いずれか一方の指のみが水平方向へスライドすることとしてもよい。この場合、一方の指のみが水平方向へスライドすることに応じて、第１表示部１１１及び第２表示部１２１の両方の表示輝度が変更されてもよいし。当該一方の指がタッチしている方のみの表示輝度が変更されてもよい。例えば、ユーザが、第１タッチスクリーン１１０の画面の一方の端（例えば、画面の上端）の方を親指で、その裏側の第２タッチスクリーン１２０の画面の対応する端（例えば、画面の上端）の方を人差し指で挟んで握った状態で、親指のみを画面の水平方向（図示で横方向）へ左又は右にスライドさせるタッチ操作（ジェスチャ）を行った場合、第１表示部１１１のみ表示輝度の変更（輝度調整）が可能であってもよい。また、ユーザが、第２タッチスクリーン１２０の画面の一方の端（例えば、画面の上端）の方を親指で、その裏側の第１タッチスクリーン１１０の画面の対応する端（例えば、画面の上端）の方を人差し指で挟んで握った状態で、親指のみを画面の水平方向（図示で横方向）へ左又は右にスライドさせるタッチ操作（ジェスチャ）を行った場合、第２表示部１２１のみ表示輝度の変更（輝度調整）が可能であってもよい。
【００４９】
また、輝度調整イベントが検出された場合、仮想デバイスとしての輝度調整ボタンＢ１２を表示させずに（可視化せずに）、輝度調整が可能となる構成としてもよい。
【００５０】
（Ｍｏｄｅ６）
図１３は、本実施形態に係るＭｏｄｅ６によるタッチ機能を示す図である。Ｍｏｄｅ６は、第１表示部１１１及び第２表示部１２１の両方が非アクティブ（表示オフ）であり、且つ第１タッチパネル１１２が無効な状態で、第２タッチパネル１２２に対するタッチ操作に基づいて、第１表示部１１１及び第２表示部１２１に表示されている操作対象に関連付けられている処理とは異なる予め設定された仮想デバイスの処理を実行させるモードである。Ｍｏｄｅ６でも、ＭＣＵ１３０は第３機能を有効にするが、Ｍｏｄｅ５とは仮想デバイスが異なる。例えばＭｏｄｅ６では、ＭＣＵ１３０は、第２タッチパネル１２２により検出されたタッチ操作を、仮想デバイスに対するタッチ操作のイベントに変換して仮想デバイスの処理に適用する。
【００５１】
次にＭｏｄｅ６における仮想デバイスの具体例を説明する。
図１４は、Ｍｏｄｅ６における仮想デバイスの一例を示す図である。この図１４に示す例は、仮想デバイスがトラックパッドである例を示している。ここでは、電子機器１０が実行している各種のアプリケーションの表示を、第１表示部１１１及び第２表示部１２１に代えて、外付けの表示装置（不図示、ここではプロジェクタ）を用いて表示している状態を示している。電子機器１０から出力される画像がプロジェクタで投影表示され、プレゼンターがその表示を用いてプレゼンテーションを行っている。このとき、プレゼンターは、電子機器１０の第２タッチパネル１２２を大きなトラックパッド（Ｂｉｇ  Ｔｒａｃｋｐａｄ）として使用することが可能である。なお、外付けの表示装置は、プロジェクタに限られるものではなく、モニタ（例えば、大画面のモニタ）などであってもよい。
【００５２】
例えば、電子機器１０が閉状態で第１表示部１１１及び第２表示部１２１の両方が非アクティブ（表示オフ）であり、且つＯＳがシャットダウンしてない状態（アプリケーションの実行が可能な状態）で外付けの表示装置に接続されている状態を「プレゼンテーションモード」ということとする。例えば、電子機器１０がプレゼンテーションモードで、ユーザが第２タッチパネル１２２に対するタッチ操作を行った場合、仮想デバイス（外付けの表示装置に対応するトラックパッド）に対するタッチ操作のイベント(以下、「トラックパッドイベント」という) として検出されたとして、第２タッチパネル１２２を外付けの表示装置の画面に対応するタッチ操作が可能なトラックパッドとして使用可能となる。
【００５３】
つまり、プレゼンテーションモードで第２タッチパネル１２２に対するタッチ操作が行われることをトリガ条件として、トラックパッドイベントとして検出され、第２タッチパネル１２２を外付けの表示装置のトラックパッドとして使用可能となる。
【００５４】
図１５は、トラックパッドイベントのトリガ条件の具体例を示す図である。トラックパッドイベントが実行されるトリガの条件は、例えば、以下の（１）〜（４）を満たすことである。
（１）外付けの表示装置が接続されている。
（２）電子機器１０の第１筐体と第２筐体とが閉状態。
（３）ＯＳがシャットダウンしてない（アプリケーションの実行が可能な状態）。
（４）第２タッチパネル１２２にタッチ。
なお、電子機器１０の第１筐体と第２筐体とが閉状態である場合には、第１表示部１１１は非アクティブ（表示オフ）であり、第１タッチパネル１１２も無効である（そもそもタッチできない）。また、第２表示部１２１が非アクティブ（表示オフ）であることをトリガ条件に加えてもよいし、加えなくてもよい。
【００５５】
なお、外付けの表示装置は、映像出力部１０７から有線（例えば、ＨＤＭＩ（登録商標）ケーブルなど）で接続されてもよいし、映像出力部１０７から通信部１０１を介して無線通信（例えば、Ｗｉ−Ｆｉ（登録商標）など）で接続されてもよい。
【００５６】
次に、図１６を参照して、ＭＣＵ１３０におけるタッチ機能の構成について、詳しく説明する。図１６は、本実施形態に係るＭＣＵ１３０におけるタッチ機能に関する構成の一例を示す図である。ＭＣＵ１３０は、入力部１３１、出力部１３２、及び機能制御部１３３を備えている。
【００５７】
入力部１３１は、例えば、Ｉ２Ｃ（Ｉｎｔｅｒ−Ｉｎｔｅｇｒａｔｅｄ  Ｃｉｒｃｕｉｔ）ドライバを含んで構成されている。例えば、入力部１３１は、第１タッチパネル１１２または第２タッチパネル１２２に対するユーザのタッチ操作（ジェスチャ）に応じて検出された検出信号を、通信インターフェース（例えば、ＨＩＤ  ｏｖｅｒ  Ｉ２Ｃ）を介して受信する（ＨＩＤ：Ｈｕｍａｎ  Ｉｎｔｅｒｆａｃｅ  Ｄｅｖｉｃｅ）。
【００５８】
出力部１３２は、例えば、ＵＳＢドライバを含んで構成され、ＵＳＢインターフェースを用いてシステム処理部１４０との間で各種情報を送受信する。ＵＳＢインターフェースでは、複数のインターフェースをデバイス毎に宣言することができる。図示する例では、インターフェース１〜４の４つのインターフェースを示している。インターフェース１は、第１タッチパネル１１２により検出されたタッチ操作を第１表示部１１１に表示されている操作対象に関連付けられている処理に適用する第１機能に対応するインターフェースとして宣言されている。インターフェース２は、第２タッチパネル１２２により検出されたタッチ操作を第２表示部１２１に表示されている操作対象に関連付けられている処理に適用する第２機能に対応するインターフェースとして宣言されている。インターフェース３は、第１表示部１１１に表示されている操作対象に関連付けられている処理及び第２表示部１２１に表示されている操作対象に関連付けられている処理とは異なる予め設定された仮想デバイス（前述した音量調整や輝度調整、トラックパッドなど）の処理を実行させる第３機能に対応するインターフェースとして宣言されている。インターフェース４は、このＭＣＵ１３０を制御するためシステムコントロール用のインターフェースとして宣言されている。
【００５９】
機能制御部１３３は、入力部１３１が第１タッチパネル１１２または第２タッチパネル１２２から受信する検出信号に基づいて、第１タッチパネル１１２または第２タッチパネル１２２に対するタッチ操作に基づくイベントを検出する。機能制御部１３３は、第１タッチパネル１１２または第２タッチパネル１２２に対するタッチ操作に基づくイベントを検出すると、当該イベントに応じた処理を実行する。例えば、機能制御部１３３は、イベントを検出すると、システムモード（Ｍｏｄｅ１〜６）に応じて第１機能、第２機能、及び第３機能のいずれかを実行する。
【００６０】
Ｍｏｄｅ１では、機能制御部１３３は、第１タッチパネル１１２に対するタッチ操作のイベントを検出すると第１機能を有効にし、第２タッチパネル１２２に対するタッチ操作のイベントを検出すると第２機能を有効にする。例えば、第１機能では、機能制御部１３３は、第１タッチパネル１１２により検出されたタッチ操作に基づく操作情報を、第１表示部１１１に表示されている処理に対するタッチ操作の操作情報として、システム処理部１４０へ出力する。このとき、機能制御部１３３は、上記操作情報を出力部１３２のインターフェース１を有効にしてシステム処理部１４０へ出力する。また、第２機能では、機能制御部１３３は、第２タッチパネル１２２により検出されたタッチ操作に基づく操作情報を、第２表示部１２１に表示されている処理に対するタッチ操作の操作情報として、システム処理部１４０へ出力する。このとき、機能制御部１３３は、上記操作情報を出力部１３２のインターフェース２を有効にしてシステム処理部１４０へ出力する。
【００６１】
Ｍｏｄｅ２では、機能制御部１３３は、第１タッチパネル１１２に対するタッチ操作のイベントを検出すると第１機能を有効にする。例えば、機能制御部１３３は、第１タッチパネル１１２により検出されたタッチ操作に基づく操作情報を、第１表示部１１１に表示されている処理に対するタッチ操作の操作情報として、システム処理部１４０へ出力する。このとき、機能制御部１３３は、上記操作情報を出力部１３２のインターフェース１を有効にしてシステム処理部１４０へ出力する。なお、Ｍｏｄｅ２では、機能制御部１３３は、第２タッチパネル１２２に対するタッチ操作のイベントを検出しないため、第２機能を無効にする。即ち、機能制御部１３３は、第２タッチパネル１２２により検出されたタッチ操作に基づく操作情報を無効にし、システム処理部１４０へ出力しない。
【００６２】
Ｍｏｄｅ３では、機能制御部１３３は、第２タッチパネル１２２に対するタッチ操作のイベントを検出すると第２機能を有効にする。例えば、機能制御部１３３は、第２タッチパネル１２２により検出されたタッチ操作に基づく操作情報を、第２表示部１２１に表示されている処理に対するタッチ操作の操作情報として、システム処理部１４０へ出力する。このとき、機能制御部１３３は、上記操作情報を出力部１３２のインターフェース２を有効にしてシステム処理部１４０へ出力する。なお、Ｍｏｄｅ３では、機能制御部１３３は、第１タッチパネル１１２に対するタッチ操作のイベントを検出しないため、第１機能を無効にする。即ち、機能制御部１３３は、第１タッチパネル１１２により検出されたタッチ操作に基づく操作情報を無効にし、システム処理部１４０へ出力しない。
【００６３】
Ｍｏｄｅ４では、機能制御部１３３は、第１タッチパネル１１２に対するタッチ操作のイベントを検出すると第１機能を有効にする。タッチ機能に関しては、Ｍｏｄｅ２と同様である。例えば、機能制御部１３３は、第１タッチパネル１１２により検出されたタッチ操作に基づく操作情報を、第１表示部１１１に表示されている処理に対するタッチ操作の操作情報として、システム処理部１４０へ出力する。このとき、機能制御部１３３は、上記操作情報を出力部１３２のインターフェース１を有効にしてシステム処理部１４０へ出力する。なお、Ｍｏｄｅ４では、機能制御部１３３は、第２タッチパネル１２２に対するタッチ操作のイベントを検出しないため、第２機能を無効にする。即ち、機能制御部１３３は、第２タッチパネル１２２により検出されたタッチ操作に基づく操作情報を無効にし、システム処理部１４０へ出力しない。
【００６４】
Ｍｏｄｅ５では、機能制御部１３３は、第１タッチパネル１１２及び第２タッチパネル１２２に対するタッチ操作に基づいて音量調整イベントまたは輝度調整イベントを生成し、第３機能を有効にする。例えば、機能制御部１３３は、第１タッチパネル１１２により検出されたタッチ操作と第２タッチパネル１２２により検出されたタッチ操作との両方に基づいて音量調整ジェスチャであるか否かを判定する。機能制御部１３３は、音量調整ジェスチャであると判定した場合、音量調整ジェスチャに対応する音量調整イベントを生成し、Ｍｏｄｅ５を選択する。機能制御部１３３は、音量調整イベントに対応する処理として、音量ボタンＢ１１を表示させるための表示指示情報と、音量調整ジェスチャにおけるスライド方向及びスライド量を示す操作情報とをシステム処理部１４０へ出力する。このとき、機能制御部１３３は、表示指示情報及び操作情報を出力部１３２のインターフェース４を有効にしてシステム処理部１４０へ出力する。
【００６５】
また、機能制御部１３３は、第１タッチパネル１１２により検出されたタッチ操作と第２タッチパネル１２２により検出されたタッチ操作との両方に基づいて輝度調整ジェスチャであるか否かを判定する。機能制御部１３３は、輝度調整ジェスチャであると判定した場合、輝度調整ジェスチャに対応する輝度調整イベントを生成し、Ｍｏｄｅ５を選択する。機能制御部１３３は、輝度調整イベントに対応する処理として、輝度調整ボタンＢ１２を表示させるための表示指示情報と、輝度調整ジェスチャにおけるスライド方向及びスライド量を示す操作情報とをシステム処理部１４０へ出力する。このとき、機能制御部１３３は、表示指示情報及び操作情報を出力部１３２のインターフェース４を有効にしてシステム処理部１４０へ出力する。
【００６６】
システム処理部１４０は、機能制御部１３３から音量ボタンＢ１１の表示指示情報を受け取ると、音量ボタンＢ１１を第１表示部１１１に表示させる。音量ボタンＢ１１は、音量調整範囲に対する現在の音量レベルが表示され、音量調整ジェスチャに応じて現在の音量レベルが変更される表示オブジェクトである。なお、システム処理部１４０は、音量ボタンＢ１１を第１表示部１１１と第２表示部１２１の両方に表示させてもよい。また、システム処理部１４０は、音量調整ジェスチャにおけるスライド方向及びスライド量を示す操作情報に応じて、スピーカ１０５から出力される音量を変更する。なお、システム処理部１４０は、スピーカ１０５に限らず、不図示の音出力端子（ヘッドフォン端子）から出力される音量も変更する。
【００６７】
また、システム処理部１４０は、機能制御部１３３から輝度調整ボタンＢ１２の表示指示情報を受け取ると、輝度調整ボタンＢ１２を第１表示部１１１に表示させる。輝度調整ボタンＢ１２は、輝度調整範囲に対する現在の輝度レベルが表示され、輝度調整ジェスチャに応じて現在の輝度レベルが変更される表示オブジェクトである。なお、システム処理部１４０は、輝度調整ボタンＢ１２を第１表示部１１１と第２表示部１２１の両方に表示させてもよいし、一方に表示させてもよい。また、システム処理部１４０は、輝度調整ジェスチャにおけるスライド方向及びスライド量を示す操作情報に応じて、第１表示部１１１及び第２表示部１２１の表示輝度を変更する。なお、システム処理部１４０は、第１表示部１１１及び第２表示部１２１のうちの一方の表示輝度を変更してもよい。
【００６８】
Ｍｏｄｅ６では、機能制御部１３３は、プレゼンテーションモードで第２タッチパネル１２２に対するタッチ操作が行われた場合、トラックパッドイベントを生成し、第３機能を有効にする。例えば、機能制御部１３３は、プレゼンテーションモードであるか否かを確認する。具体的には、機能制御部１３３は、映像出力部１０７を介して外付けの表示装置が接続されているか否かを判定する。また、機能制御部１３３は、加速度センサ１０６の検出結果に基づいて、第１筐体１１と第２筐体１２とが開状態であるか或いは閉状態であるかを検出する。また、機能制御部１３３は、システム処理部１４０からＯＳの動作状態を取得する。例えば、機能制御部１３３は、外付けの表示装置が接続されており、第１筐体１１と第２筐体１２とが開状態であり、ＯＳがシャットダウンしてないと判定した場合、プレゼンテーションモードであると判定し、Ｎｏｄｅ６を選択する。そして、機能制御部１３３は、プレゼンテーションモードにおいて第２タッチパネル１２２に対するタッチ操作が行われた場合、第２タッチパネル１２２により検出されたタッチ操作に基づく操作情報を、外付けの表示装置の画面に対応するタッチパッドへのタッチ操作の操作情報として、システム処理部１４０へ出力する。このとき、機能制御部１３３は、上記操作情報を出力部１３２のインターフェース３を有効にしてシステム処理部１４０へ出力する。
【００６９】
（状態遷移）
次に、各システムモードにおける状態遷移について説明する。
図１７は、Ｍｏｄｅ１における状態遷移を示す図である。Ｍｏｄｅ１は、第１機能及び第２機能の両方が有効な状態である。Ｍｏｄｅ１では、機能制御部１３３は、まず状態ＳＴ１１のイニシャライズ処理にて出力部１３２のインターフェース１とインターフェース２を有効にし、状態ＳＴ１２の待機状態（Ｉｄｌｅ状態）に遷移する。状態ＳＴ１２の待機状態では、機能制御部１３３は、イベントを待機する。状態ＳＴ１２の待機状態において、第１タッチパネル１１２に対するタッチ操作のイベント（Ｔｏｕｃｈ  ｐａｎｅｌ  １  Ｅｖｅｎｔ）を検出すると、状態ＳＴ１３へ遷移する。状態ＳＴ１３では、機能制御部１３３は、第１タッチパネル１１２により検出されたタッチ操作に基づく操作情報を取得する（Ｄａｔａ−ｉｎ）。また、状態ＳＴ１２の待機状態において、第２タッチパネル１２２に対するタッチ操作のイベント（Ｔｏｕｃｈ  ｐａｎｅｌ  ２  Ｅｖｅｎｔ）を検出すると、状態ＳＴ１５へ遷移する。状態ＳＴ１５では、機能制御部１３３は、第２タッチパネル１２２により検出されたタッチ操作に基づく操作情報を取得する（Ｄａｔａ−ｉｎ）。
【００７０】
また、機能制御部１３３は、状態ＳＴ１３または状態ＳＴ１５のそれぞれで、第１タッチパネル１１２及び第２タッチパネル１２２により検出されたタッチ操作に基づいて音量調整ジェスチャ又は輝度調整ジェスチャを検出する。機能制御部１３３は、音量調整ジェスチャ又は輝度調整ジェスチャが検出された場合、Ｍｏｄｅ５へ遷移させる。一方、機能制御部１３３は、状態ＳＴ１３で音量調整ジェスチャ又は輝度調整ジェスチャが検出されない場合には、状態ＳＴ１４へ遷移し、第１タッチパネル１１２により検出されたタッチ操作に基づく操作情報をシステム処理部１４０へ出力する（Ｄａｔａ−ｏｕｔ）。そして、状態ＳＴ１２の待機状態に遷移する。また、機能制御部１３３は、状態ＳＴ１５で音量調整ジェスチャ又は輝度調整ジェスチャが検出されない場合には、状態ＳＴ１６へ遷移し、第２タッチパネル１２２により検出されたタッチ操作に基づく操作情報をシステム処理部１４０へ出力する（Ｄａｔａ−ｏｕｔ）。そして、状態ＳＴ１２の待機状態に遷移する。なお、状態ＳＴ１２の待機状態において、電子機器１０がスリープ状態に移行した場合やシャットダウンされた場合、Ｍｏｄｅ１を終了する。
【００７１】
図１８は、Ｍｏｄｅ２及びＭｏｄｅ４における状態遷移を示す図である。Ｍｏｄｅ２及びＭｏｄｅ４は、第１機能のみが有効な状態である。Ｍｏｄｅ２及びＭｏｄｅ４では、機能制御部１３３は、まず状態ＳＴ２１のイニシャライズ処理にて出力部１３２のインターフェース１を有効にし、インターフェース２を無効にし、状態ＳＴ２２の待機状態（Ｉｄｌｅ状態）に遷移する。状態ＳＴ２２の待機状態では、機能制御部１３３は、イベントを待機する。状態ＳＴ２２の待機状態において、第１タッチパネル１１２に対するタッチ操作のイベント（Ｔｏｕｃｈ  ｐａｎｅｌ  １  Ｅｖｅｎｔ）を検出すると、状態ＳＴ２３へ遷移する。状態ＳＴ２３では、機能制御部１３３は、第１タッチパネル１１２により検出されたタッチ操作に基づく操作情報を取得する（Ｄａｔａ−ｉｎ）。
【００７２】
また、機能制御部１３３は、状態ＳＴ２３で、音量調整ジェスチャ又は輝度調整ジェスチャを検出する。なお、Ｍｏｄｅ２及びＭｏｄｅ４では、第２表示部１２１は非アクティブ（表示オフ）であるが、第２タッチパネル１２２はタッチ操作を検出しているため、機能制御部１３３は、音量調整ジェスチャ又は輝度調整ジェスチャを検出することができる。機能制御部１３３は、音量調整ジェスチャ又は輝度調整ジェスチャが検出された場合、Ｍｏｄｅ５へ遷移させる。一方、機能制御部１３３は、状態ＳＴ２３で音量調整ジェスチャ又は輝度調整ジェスチャが検出されない場合には、状態ＳＴ２４へ遷移し、第１タッチパネル１１２により検出されたタッチ操作に基づく操作情報をシステム処理部１４０へ出力する（Ｄａｔａ−ｏｕｔ）。そして、状態ＳＴ２２の待機状態に遷移する。なお、状態ＳＴ２２の待機状態において、電子機器１０がスリープ状態に移行した場合やシャットダウンされた場合、Ｍｏｄｅ２またはＭｏｄｅ４を終了する。
【００７３】
図１９は、Ｍｏｄｅ３における状態遷移を示す図である。Ｍｏｄｅ３では、機能制御部１３３は、まず状態ＳＴ３１のイニシャライズ処理にて出力部１３２のインターフェース１を無効にし、インターフェース２を有効にし、状態ＳＴ３２の待機状態（Ｉｄｌｅ状態）に遷移する。状態ＳＴ３２の待機状態では、機能制御部１３３は、イベントを待機する。状態ＳＴ３２の待機状態において、第２タッチパネル１２２に対するタッチ操作のイベント（Ｔｏｕｃｈ  ｐａｎｅｌ  ２  Ｅｖｅｎｔ）を検出すると、状態ＳＴ３５へ遷移する。状態ＳＴ３５では、機能制御部１３３は、第２タッチパネル１２２により検出されたタッチ操作に基づく操作情報を取得する（Ｄａｔａ−ｉｎ）。
【００７４】
また、機能制御部１３３は、状態ＳＴ３３で、音量調整ジェスチャ又は輝度調整ジェスチャを検出する。なお、Ｍｏｄｅ３では、第１表示部１１１は非アクティブ（表示オフ）であるが、第１タッチパネル１１２はタッチ操作を検出しているため、機能制御部１３３は、音量調整ジェスチャ又は輝度調整ジェスチャを検出することができる。機能制御部１３３は、音量調整ジェスチャ又は輝度調整ジェスチャが検出された場合、Ｍｏｄｅ５へ遷移させる。一方、機能制御部１３３は、状態ＳＴ３５で音量調整ジェスチャ又は輝度調整ジェスチャが検出されない場合には、状態ＳＴ３６へ遷移し、第２タッチパネル１２２により検出されたタッチ操作に基づく操作情報をシステム処理部１４０へ出力する（Ｄａｔａ−ｏｕｔ）。そして、状態ＳＴ３２の待機状態に遷移する。なお、状態ＳＴ３２の待機状態において、電子機器１０がスリープ状態に移行した場合やシャットダウンされた場合、Ｍｏｄｅ３を終了する。
【００７５】
図２０は、Ｍｏｄｅ５における状態遷移を示す図である。Ｍｏｄｅ１〜４からＭｏｄｅ５へ遷移すると、機能制御部１３３は、第１機能及び第２機能の一方又は両方が有効な状態から第３機能が有効な状態へと遷移させる。まず状態ＳＴ５１では、機能制御部１３３は、イニシャライズ処理を行なう。状態ＳＴ５１において、機能制御部１３３は、出力部１３２のインターフェース１及びインターフェース２を無効にし、インターフェース３を有効にする。そして、状態ＳＴ５２に遷移し、機能制御部１３３は、イベントに応じた仮想デバイスの処理を適用するイベントマッピング処理を行なう。具体的には、状態ＳＴ５２において、機能制御部１３３は、図１７の状態ＳＴ１３、ＳＴ１５、図１８の状態ＳＴ２３、または図１９の状態ＳＴ３５で検出されたジェスチャ（音量調整ジェスチャ又は輝度調整ジェスチャ）に対応する仮想デバイスのイベントを生成する。例えば、機能制御部１３３は、音量調整ジェスチャが検出された場合、音量調整イベントを生成する。また、機能制御部１３３は、輝度調整ジェスチャが検出された場合、輝度調整イベントを生成する。機能制御部１３３は、生成した音量調整イベントまたは輝度調整イベントに対応する処理を実行し、音量調整ジェスチャ又は輝度調整ジェスチャが検出されなくなると、終了する。終了後には、機能制御部１３３は、Ｍｏｄｅ５に遷移する前のシステムモードに遷移させる。即ち、機能制御部１３３は、第１機能及び第２機能の一方又は両方が有効な状態へ遷移させる。
【００７６】
図２１は、Ｍｏｄｅ６における状態遷移を示す図である。Ｍｏｄｅ６は、第３機能が有効な状態である。Ｍｏｄｅ６へ遷移すると、機能制御部１３３は、状態ＳＴ６１へ遷移させ、イニシャライズ処理を行なう。状態ＳＴ６１において、機能制御部１３３は、出力部１３２のインターフェース１及びインターフェース２を無効にし、インターフェース３を有効にする。そして、状態ＳＴ６２待機状態（Ｉｄｌｅ状態）に遷移する。状態ＳＴ６２の待機状態では、機能制御部１３３は、イベントを待機する。状態ＳＴ６２の待機状態において、第２タッチパネル１２２に対するタッチ操作のイベント（Ｔｏｕｃｈ  ｐａｎｅｌ  ２  Ｅｖｅｎｔ）を検出すると、状態ＳＴ６３へ遷移し、第２タッチパネル１２２により検出されたタッチ操作に基づく操作情報を取得し（Ｄａｔａ−ｉｎ）、状態ＳＴ６４へ遷移する。状態ＳＴ６４において、機能制御部１３３は、イベントに応じた仮想デバイスの処理を適用するイベントマッピング処理を行なう。具体的には、機能制御部１３３は、第２タッチパネル１２２に対するタッチ操作のイベントをトラックパッドイベントに変換し、トラックパッドイベントに対応する処理を実行する。例えば、機能制御部１３３は、状態ＳＴ６３で取得した操作情報を、外付けの表示装置の画面に対応するタッチパッドへのタッチ操作の操作情報として出力する。そして、状態ＳＴ６２の待機状態に遷移する。なお、状態ＳＴ６２の待機状態において、電子機器１０がスリープ状態に移行した場合やシャットダウンされた場合、或いは、外付けの表示装置との接続が解除された場合、Ｍｏｄｅ６を終了する。
【００７７】
以上説明したように、本実施形態に係る電子機器１０は、表裏の位置関係に配置されている第１表示部１１１及び第２表示部１２１と、第１表示部１１１の画面に対するタッチ操作（操作入力の一例）を検出する第１タッチパネル１１２（第１検出部の一例）と、第２表示部１２１の画面に対するタッチ操作（操作入力の一例）を検出する第２タッチパネル１２２（第２検出部の一例）とを備えている。電子機器１０は、第１タッチパネル１１２により検出された操作入力を第１表示部１１１に表示されている操作対象に関連付けられている処理（第１処理）に適用する第１機能、第２タッチパネル１２２により検出されたタッチ操作を第２表示部１２１に表示されている操作対象に関連付けられている処理（第２処理）に適用する第２機能、及び第１タッチパネル１１２により検出されたタッチ操作と第２タッチパネル１２２により検出されたタッチ操作との一方または両方に基づくタッチ操作を第１表示部１１１に表示されている操作対象に関連付けられている処理（第１処理）及び第２表示部１２１に表示されている操作対象に関連付けられている処理（第２処理）とは異なる仮想デバイスの処理（予め設定された処理の一例）に適用する第３機能を制御する。
【００７８】
これにより、電子機器１０は、複数のタッチスクリーンのそれぞれへのタッチ操作で、それぞれのタッチスクリーンに表示されている処理以外の仮想デバイス（例えば、音量ボタンＢ１１、輝度調整ボタンＢ１２、トラックパッドなど）としての処理の操作もできるため、利便性が良く、複数のタッチスクリーンをより有効に活用することができる。
【００７９】
例えば、電子機器１０は、第１タッチパネル１１２により検出されたタッチ操作と第２タッチパネル１２２により検出されたタッチ操作との両方に基づく特定のタッチ操作（ジェスチャ）に基づいて、上記第１機能及び第２機能の一方又は両方が有効な状態（例えば、Ｍｏｄｅ１〜４のいずれか）から上記第３機能が有効な状態（例えば、Ｍｏｄｅ５）へ遷移させる。
【００８０】
これにより、電子機器１０は、タッチスクリーンへの操作で、仮想デバイス（例えば、音量ボタンＢ１１、輝度調整ボタンＢ１２など）への操作が可能になるので、利便性が良い。
【００８１】
また、電子機器１０は、第３機能による処理が終了すると、第３機能が有効な状態（例えば、Ｍｏｄｅ５）から第１機能及び前記第２機能の一方又は両方が有効な状態（例えば、Ｍｏｄｅ１〜４のいずれか）へ遷移させる。
【００８２】
これにより、電子機器１０は、仮想デバイスへの操作が終了すると自動で元のタッチスクリーンに表示されている処理への操作に戻るため、利便性がよい。
【００８３】
例えば、上記特定のタッチ操作は、第１タッチパネル１１２により検出されたタッチ操作と第２タッチパネル１２２により検出されたタッチ操作とのいずれか一方に特定の方向（例えば、垂直方向または水平方向）への動きを伴うタッチ操作が含まれる。
【００８４】
これにより、電子機器１０は、視覚的に分かりやすいタッチ操作で仮想デバイス（例えば、音量ボタンＢ１１、輝度調整ボタンＢ１２など）への操作か可能である。
【００８５】
例えば、上記特定のタッチ操作は、画面上で水平方向（第１方向の一例）へスライドさせるタッチ操作を含む。そして、仮想デバイスの処理（予め設定された処理の一例）は、第１表示部１１１及び第２表示部１２１の一方又は両方の表示輝度を変更する処理である。
【００８６】
これにより、電子機器１０は、視覚的に分かりやすいタッチ操作で仮想デバイス（例えば、音量ボタンＢ１１）への操作か可能であるため、ユーザが第１表示部１１１及び第２表示部１２１の一方又は両方の表示輝度を容易に行うことができる。
【００８７】
また、電子機器１０は、音を出力するスピーカ１０５（音出力部の一例）、を備えている。また、上記特定のタッチ操作は、画面上で垂直方向（第２方向の一例）へスライドさせるタッチ操作を含む。そして、仮想デバイスの処理（予め設定された処理の一例）は、スピーカ１０５から出力される音量を変更する処理である。
【００８８】
これにより、電子機器１０は、視覚的に分かりやすいタッチ操作で仮想デバイス（例えば、音量ボタンＢ１１）への操作か可能であるため、ユーザが音量調整を容易に行うことができる。
【００８９】
また、電子機器１０は、第１表示部１１１及び第２表示部１２１が表裏の位置関係に配置されている第１筐体１１と、第１筐体１１に対して相対的に回動可能に接続された第２筐体１２と、接続された表示装置（外付けの表示装置）へ映像信号を出力する映像出力部１０７とを備えている。ここで、第１筐体１１と第２筐体１２とが閉状態である場合に、第１筐体１１において、第２筐体１２に対面する側に第１表示部１１１が配置され、第２筐１２体に対面する側の裏側に第２表示部１２１が配置されている。電子機器１０は、第１筐体１１と第２筐体１２とが閉状態であることが検出され、且つ映像出力部１０７に表示装置が接続されたことを条件として第３機能を有効にして、仮想デバイス（例えば、タッチパッド）の処理（予め設定された処理の一例）に適用する。ここで、仮想デバイスの処理（予め設定された処理の一例）は、第１表示部１１１及び第２表示部１２１ともに非表示にさせるとともに、第２タッチパネル１２２により検出されたタッチ操作を映像出力部１０７に接続された表示装置に表示されている操作対象に関連付けられている処理に適用する処理である。
【００９０】
これにより、電子機器１０は、外付けの表示装置を用いてプレゼンテーションなどを行うときに、第２タッチパネル１２２をタッチパッドとして利用することができるため、利便性がよく、複数のタッチスクリーンをより有効に活用することができる。
【００９１】
以上、図面を参照してこの発明の実施形態について詳しく説明してきたが、具体的な構成は上述のものに限られることはなく、この発明の要旨を逸脱しない範囲内において様々な設計変更等をすることが可能である。例えば、上記の各実施形態で説明した構成は、任意に組み合わせてもよい。
【００９２】
なお、上記実施形態では、Ｍｏｄｅ１〜６のタッチ機能による処理をＭＣＵ１３０が実行する例を説明したが、ＭＣＵ１３０に代えて、ＣＰＵ１０４がバックグラウンドで実行するプログラムによる処理で実現してもよい。
【００９３】
また、上述した電子機器１０は、内部にコンピュータシステムを有している。そして、上述した電子機器１０のそれぞれが備える各構成の機能を実現するためのプログラムをコンピュータ読み取り可能な記録媒体に記録して、この記録媒体に記録されたプログラムをコンピュータシステムに読み込ませ、実行することにより上述した電子機器１０のそれぞれが備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【００９４】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に電子機器１０が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【００９５】
また、上述した実施形態における電子機器１０が備える各機能の一部、または全部を、ＬＳＩ（Ｌａｒｇｅ  Ｓｃａｌｅ  Ｉｎｔｅｇｒａｔｉｏｎ）等の集積回路として実現してもよい。各機能は個別にプロセッサ化してもよいし、一部、又は全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００９６】
また、上述した実施形態では、電子機器１０がクラムシェル型（ノート型）のＰＣである例を説明したが、タブレット型のＰＣやデスクトップ型のＰＣであってもよいし、さらにＰＣに限られるものではなく、スマートフォンやゲーム機などであってもよい。
【００９７】
また、第１タッチスクリーン１１０と第２タッチスクリーンの大きさや形状は、同一であってもよいし、異なってもよい。
【００９８】
また、上記実施形態では、第１筐体１１と第２筐体１２とが開状態であるか或いは閉状態であるかを、加速度センサ１０６を用いて検出する例を説明したが、検出方法は、これに限定されるものではない。例えば、赤外線センサやメカニカルスイッチなどを使用して検出してもよい。
【符号の説明】
【００９９】
１０  電子機器、１１  第１筐体、１２  第２筐体、１３  ヒンジ機構、１０１  通信部、１０２  ＲＡＭ、１０３  Ｆｌａｓｈメモリ、１０４  ＣＰＵ、１０５  スピーカ、１０６  加速度センサ、１０７  映像出力部、１１０  第１タッチスクリーン、１１１  第１表示部、１１２  第１タッチパネル、１２０  第２タッチスクリーン、１２１  第２表示部、１２２  第２タッチパネル、１３０  ＭＣＵ、１３１  入力部、１３２  出力部、１３３  機能制御部、１４０  システム処理部
【要約】
【課題】複数のタッチスクリーンをより有効に活用すること。
【解決手段】電子機器は、表裏の位置関係に配置されている第１表示部及び第２表示部と、第１表示部の画面に対する操作入力を検出する第１検出部と、第２表示部の画面に対する操作入力を検出する第２検出部と、第１検出部により検出された操作入力を第１表示部に表示されている操作対象に関連付けられている第１処理に適用する第１機能、第２検出部により検出された操作入力を第２表示部に表示されている操作対象に関連付けられている第２処理に適用する第２機能、及び第１検出部により検出された操作入力と第２検出部により検出された操作入力との一方または両方に基づく操作入力を第１処理及び第２処理とは異なる予め設定された処理に適用する第３機能を制御する機能制御部と、を備える。
【選択図】図２【図１】
0006986602.tif 000002
【図２】
0006986602.tif 000003
【図３】
0006986602.tif 000004
【図４】
0006986602.tif 000005
【図５】
0006986602.tif 000006
【図６】
0006986602.tif 000007
【図７】
0006986602.tif 000008
【図８】
0006986602.tif 000009
【図９】
0006986602.tif 000010
【図１０】
0006986602.tif 000011
【図１１】
0006986602.tif 000012
【図１２】
0006986602.tif 000013
【図１３】
0006986602.tif 000014
【図１４】
0006986602.tif 000015
【図１５】
0006986602.tif 000016
【図１６】
0006986602.tif 000017
【図１７】
0006986602.tif 000018
【図１８】
0006986602.tif 000019
【図１９】
0006986602.tif 000020
【図２０】
0006986602.tif 000021
【図２１】
0006986602.tif 000022